(57)【要約】【課題】バルコニー直下に下階の居室が存在する場合に、排水経路の納まりを合理的に解決したバルコニーの排水構造を提供する【解決手段】本発明のバルコニーの排水構造は、建物の外側に開放されたバルコニー１の辺部が建物本体部分の床梁５と同一レベルの外周梁６によって支持され、上記床梁５及び外周梁６によって囲まれた領域内に排水床１１が設けられ、排水床１１の辺縁部に沿って排水溝１９が設けられ、排水溝１９の一部に排水ピット２０が設けられ、この排水ピット２０に接続された排水管２１が、外周梁６の高さ方向における中間付近を貫通して建物の外側へと配設されたものである。【選択図】図２
2008184806.tif 000002
【特許請求の範囲】
【請求項１】
下階の居室の直上にバルコニーが設けられた木造建物において、
バルコニーは、間口方向と、少なくとも片側の張出方向に沿う二つの辺部が建物の外側に開放されるように設けられ、上記辺部が建物本体部分の床梁と同一レベルの外周梁によって支持され、上記床梁及び外周梁によって囲まれた領域内に適宜の勾配を有する排水床が設けられ、
上記排水床の辺縁部に沿って排水溝が設けられ、該排水溝の一部に排水ピットが設けられ、この排水ピットに接続された排水管が、該排水溝に隣接する外周梁の高さ方向における中間付近を貫通して建物の外側へと配設されたことを特徴とするバルコニーの排水構造。
【請求項２】
排水溝の近傍に直立型のオーバーフロー管が設けられ、該オーバーフロー管に接続されたオーバーフロー排水管が、その近傍に位置する外周梁の高さ方向における中間付近を貫通して建物の外側へと配設されたことを特徴とする請求項１に記載のバルコニーの排水構造。
【発明の詳細な説明】
【技術分野】
【０００１】
本発明は、木造建物に設けられるバルコニーの排水構造に関し、特に、居室とバルコニーの段差を無くしたフラットバルコニーに好適な排水構造に関する。
【背景技術】
【０００２】
近年、住宅や福利厚生施設等の建物においては、バリアフリーへの配慮や、内外空間を一体化する意図から、居室の床面とバルコニーの歩行床面との段差を無くした、いわゆるフラットバルコニーを設けることが増えている。かかるフラットバルコニーの基本的な構造は、排水のための勾配を設けた排水床を、居室の床面よりも十数ｃｍ程度低い位置に設け、排水床の上にデッキ材等を敷設して歩行床とし、歩行床面と居室の床面との高さを揃えるというものである。このような二重床式のバルコニー構造は、例えば特許文献１〜３等に開示されている。
【特許文献１】特開２００２−２０６２７８号公報
【特許文献２】特開２００３−３１３９３８号公報
【特許文献３】特開２００３−２０７６１号公報
【発明の開示】
【発明が解決しようとする課題】
【０００３】
建物の構造躯体が木造であって、バルコニーも木造の梁等によって支持される場合、バルコニー外周部の梁は、多様な建物形状に対応できるよう、屋内の居室部分を支持する他の床梁と同一レベルに配置されることが構造上、望ましい。このような構造では、バルコニーの排水床は、床梁とバルコニーの外周梁とによって囲まれた領域内の低い位置に設けられることとなるが、ここで、排水経路の取り廻しの問題が生じる。
【０００４】
すなわち、バルコニーの下側がピロティやアルコーブなど建物の屋外に開放されていれば、上記文献記載のように、排水経路を特に支障なくバルコニーの下方へと配設することができる。しかし、バルコニーの下側が下階の居室空間であれば、当該居室の天井高を確保するなどの必要から、天井懐の高さは最小限に圧縮される。すると、下階居室の天井周りへの影響を避けつつ、バルコニーの下方への排水経路を確保することが極めて難しくなる。
【０００５】
本発明は、かかる事情に鑑みてなされたもので、主に構造躯体が木造であって、バルコニーが建物本体部分の床梁と同一レベルの外周梁によって囲まれ、かつ、バルコニーの直下に下階の屋内居室が存在する場合に、排水経路の納まりを合理的に解決したバルコニーの排水構造を提供するものである。
【課題を解決するための手段】
【０００６】
上記した目的を達成するため、本発明のバルコニーの排水構造は、下階の居室の直上にバルコニーが設けられた木造建物において、バルコニーは、間口方向と、少なくとも片側の張出方向に沿う二つの辺部が建物の外側に開放されるように設けられ、上記辺部が建物本体部分の床梁と同一レベルの外周梁によって支持され、上記床梁及び外周梁によって囲まれた領域内に適宜の勾配を有する排水床が設けられ、上記排水床の辺縁部に沿って排水溝が設けられ、該排水溝の一部に排水ピットが設けられ、この排水ピットに接続された排水管が、該排水溝に隣接する外周梁の高さ方向における中間付近を貫通して建物の外側へと配設されたことを特徴とする。
【０００７】
さらに、本発明のバルコニーの排水構造は、上記排水溝の近傍に直立型のオーバーフロー管が設けられ、該オーバーフロー管に接続されたオーバーフロー排水管が、その近傍に位置する外周梁の建物の外側へと配設されたことを特徴とする。
【発明の効果】
【０００８】
上述のように構成される本発明のバルコニーの排水構造によれば、バルコニーの直下に設けられた下階の居室の天井周りへの影響を避けつつ、バルコニーの下方への排水経路を合理的に確保することができる。排水管及びオーバーフロー排水管は、外周梁の高さ方向における中間付近を貫通するように配設されるが、梁の長さ方向における貫通位置を適切に設定することにより、外周梁の構造的な強度に対する影響も最小限に抑えることができる。
【発明を実施するための最良の形態】
【０００９】
以下、本発明の実施の形態について図を参照して説明する。
【００１０】
図１は、本発明の実施形態に係るバルコニーを設けた木造建物の一部を示す概略平面図であり、図２及び図３は、それぞれ図１に示したバルコニーの張出方向（Ａ−Ａ）の断面図、及び間口方向（Ｂ−Ｂ）の部分断面図である。
【００１１】
例示のバルコニー１は、下階の居室２の直上に設けられており、間口方向と、片側の張出方向に沿う二つの辺部が建物の外側に開放されている。バルコニー１と屋内の居室３とは、引き違い式の掃き出し窓４を通じて出入り可能に連通している。
【００１２】
図２において、符号５は建物本体部分の軸組を構成する床梁であり、符号６はバルコニー１の間口方向の辺縁部を支持する外周梁である。これら床梁５と外周梁６とは、共通の断面寸法を有し、同一レベルに配置されている。床梁５と外周梁６との間には木根太７が架設されている。木根太７の上には構造用合板８が敷設され、その上に発泡樹脂材等からなる勾配層９と防水シート１０が重ねられて、矢符ｓのような排水勾配を有する排水床１１が構成される。排水床１１の上には、図示しないデッキ支持材を介してデッキ材１２が敷設され、水平の歩行床１３が構成される。歩行床と、掃き出し窓４のサッシ下枠１４と、屋内の居室の床面１５とは、ほぼ同じ高さに揃えられている。
【００１３】
また、構造用合板８の下側には、通気用スペーサ１６や断熱材層１７が必要に応じて設けられ、床梁５、外周梁６、及び木根太７の底面に近接して下階の居室２の天井１８が設けられている。
【００１４】
排水床１１の間口方向に沿う辺縁部には、勾配層９を掘り下げて排水溝１９が設けられている。さらに、排水溝１９の一部には、構造用合板８を部分的に切り欠いて一段、低くした排水ピット２０が設けられている。排水ピット２０の底部には横引きの排水管２１が接続され、この排水管２１は、隣接する外周梁６の高さ方向における中間付近を貫通して、建物の外側へと配設されている。
【００１５】
また、図３に示すように、排水溝１９ピットの近傍には、構造用合板８と勾配層９を貫通して、直立型のオーバーフロー管２２が設けられている。オーバーフロー管２２の上端開口は、排水床１１と歩行床の中間付近に位置している。オーバーフロー管２２の下端は、構造用合板８の下側で横引きのオーバーフロー排水管２３に接続されている。オーバーフロー排水管２３も、直近に位置する外周梁６の高さ方向における中間付近を貫通して、建物の外側へと配設されている。
【００１６】
このように、バルコニー１の排水経路となる排水管２１及びオーバーフロー排水管２３を、排水床１１の直下で横引きして外周梁６を貫通させることにより、下階の居室２の天井１８周りへの影響を避けて納めることができる。外周梁６における排水経路の貫通位置は、構造的な配慮から、外周梁６に作用する曲げモーメントが極力小さくなる位置を選択する。したがって、高さ方向については、外周梁６の上部及び下部は避けて、梁せいの中間付近が好ましい。また、平面的には、外周梁６の両端から数十ｃｍ程度離れた位置が好ましい。
【００１７】
こうして、木造建物にフラットバルコニーを設ける場合の排水経路を合理的に納めることができる。本発明の排水構造は、排水床１１を支持する構造用合板８に対して最小限の切り欠きしか設けないので、水平面の剛性を確保する点でも有利である。なお、本発明は、例示形態のようなバルコニー１のほか、天井懐が小さくて排水経路の確保が困難な最上階の陸屋根等にも適用可能である。
【図面の簡単な説明】
【００１８】
【図１】本発明の実施形態に係るバルコニーを設けた建物の概略平面図である。
【図２】図１に示したバルコニーの張出方向（Ａ−Ａ）の断面図である。
【図３】図１に示したバルコニーの間口方向（Ｂ−Ｂ）の部分断面図である。
【符号の説明】
【００１９】
１  バルコニー
２  下階の居室
５  床梁
６  外周梁
１１  排水床
１９  排水溝
２０  排水ピット
２１  排水管
２２  オーバーフロー管
２３  オーバーフロー排水管
【図１】
2008184806.tif 000003
【図２】
2008184806.tif 000004
【図３】
2008184806.tif 000005